(57)【特許請求の範囲】
【請求項１】
インペラを収容する収容部、及び前記収容部の外周部に形成されるボリュート状の第１の吐出流路を形成するメイン部と、
前記収容部の外方であって前記インペラの回転軸心の位置から側方に変位した位置を通るとともに前記軸心と直交する方向に沿って延びるライン上に配置される吐出口をその一端に有し、前記第１の吐出流路の二次側に連続し前記吐出口に至る第２の吐出流路を形成する、管状の吐出部と、  前記収容部の外方であって前記ライン上において前記吐出口と反対向きに開口して配される吸込口をその一端に有し、前記吸込口から前記第１の吐出流路の前記回転軸心方向の一方側を通って前記メイン部の前記一方側に接続され、断面形状が異形に構成された吸込流路を構成する管状の吸込部と、
を備え、
前記吐出口と前記吸込口とは同一ライン上において反対向きに開口するとともに、前記回転軸心は前記ラインからオフセットした位置にあることを特徴とする、ポンプケーシング。
【請求項２】
前記メイン部は、円柱状の空間を有する前記収容部の底部を構成するとともにその中央に前記インペラの流入口に対向配置され前記吸込部に連通する流入開口を有する底壁と、前記収容部の周りを前記第１の吐出流路を介して囲むとともに前記吐出部に連続する周壁と、を備え、
前記吸込流路の断面形状は、前記ボリュートの外方に位置する部位が前記第１の吐出流路に向かって前記ボリュートの外方及び回転軸方向の他方側に膨らむ拡張部を有する、ことを特徴とする、請求項１記載のポンプケーシング。
【請求項３】
前記吸込流路は、前記吸込口における流路方向が前記回転軸心に交差する横向きであるとともに、前記流入開口における流路方向が前記回転軸心の方向であって、
前記吸込流路は、前記吸込口から、側方及び下方に湾曲して、前記流入開口に至ることを特徴とする請求項２記載のポンプケーシング。
【請求項４】
前記第１の吐出流路は、少なくともその始点位置付近において流路方向に直交する断面形状が異形であって、ボリュートの始点位置から終点位置に進むにしたがって、その流路中心位置が、前記回転軸心方向の他方側に変位することを特徴とする請求項１記載のポンプケーシング。
【請求項５】
前記吸込流路の流路方向に直交する流路断面積は、前記吸込口から、前記インペラの流入口の近傍の所定位置に至るまで漸次増加し、
前記第１の吐出流路及び前記第２の吐出流路の流路方向に直交する流路断面積は、下流側が漸次増加するように、変化することを特徴とする請求項１記載のポンプケーシング。
【請求項６】
請求項１乃至５のいずれか記載のポンプケーシングと、
前記回転軸心方向の一方側にインペラ流入口を備え、外周部にインペラ流出口を備え、前記収容部に配される、インペラと、を備えることを特徴とするポンプ装置。
【請求項７】
前記ポンプケーシングの下方に配置され、前記ポンプケーシングを前記回転軸心が上下方向に沿う縦向きの姿勢で支持するとともに、前記下方に突出する前記吸込部の少なくとも一部分が配置される凹部または孔部を有する支持面を有する、架台を備えることを特徴とする、請求項６記載のポンプ装置。
【発明の詳細な説明】
【技術分野】
【０００１】
本発明の実施形態は、ボリュート形状のポンプケーシング及びポンプ装置に関する。
【背景技術】
【０００２】
例えばポンプ装置において、いわゆるプリローテーション形状のポンプ装置が知られている。プリローテーション型のポンプ装置は、例えば、吸込口と吐出口を有し所定の流路を構成するポンプケーシングと、ポンプケーシング内に配置されるインペラと、インペラを回転駆動するモータと、軸封装置と、を備える。ポンプケーシングは、インペラが収容される収容部と、吸込口からインペラ流入口に至る吸込流路と、インペラ流出口からボリュート状に湾曲して吐出口に至る吐出流路とを、内部に形成する。一般的に、吸込流路の断面形状は、例えば円形状に構成されている。また、吐出流路の断面形状は、例えば円形状に形成され、その中心位置は一定の高さに配されている。
【先行技術文献】
【特許文献】
【０００３】
【特許文献１】特開平５−３３２２９９号公報
【発明の概要】
【発明が解決しようとする課題】
【０００４】
このようなプリローテーション型のポンプ装置において、吸込口、吐出口、インペラ流入口、及びインペラ流出口の位置関係によっては、流路方向が変化する流路を形成する必要がある。例えば、吸込口と吐出口とが、インペラの回転軸と交差する所定の水平ライン上に設置され、吸込口からインペラ流入口までの流路方向が変化する。このような場合、流路方向の変化による流路抵抗を低く抑えるために流路長さを長く設定することが望ましい。一方で、吸込流路及び吐出流路において下流側が漸次拡大する所望の断面積を確保することが求められる。
【０００５】
その場合、例えば流路長さを確保するために吸込口から吐出口までの面間距離が大きくなり、あるいは高さ方向に隣接する流路の断面積を確保するために高さ方向の寸法が大きくなるなど、ポンプ装置が大型化してしまうという問題がある。
【０００６】
そこで、所望の流路断面積及び流路長さを確保しながら、小型化が可能なポンプケーシング及びポンプ装置を提供することが望まれている。
【課題を解決するための手段】
【０００７】
本発明の一態様に係るポンプケーシングは、インペラを収容する収容部、及び前記収容部の外周部に形成されるボリュート状の第１の吐出流路を形成するメイン部と、前記収容部の外方であって前記インペラの回転軸心の位置から側方に変位した位置を通るとともに前記軸心と直交する方向に沿って延びるライン上に配置される吐出口をその一端に有し、前記第１の吐出流路の二次側に連続し前記吐出口に至る第２の吐出流路を形成する、管状の吐出部と、  前記収容部の外方であって前記ライン上において前記吐出口と反対向きに開口して配される吸込口をその一端に有し、前記吸込口から前記第１の吐出流路の前記回転軸心方向の一方側を通って前記メイン部の前記一方側に接続され、断面形状が異形に構成された吸込流路を構成する管状の吸込部と、を備え、前記吐出口と前記吸込口とは同一ライン上において反対向きに開口するとともに、前記回転軸心は前記ラインからオフセットした位置にあることを特徴とする。
【０００８】
本発明の他の一態様に係るポンプ装置は、前記ポンプケーシングと、前記回転軸心方向の一端側にインペラ流入口を備え、外周部にインペラ流出口を備え、前記収容部に配される、インペラと、を備えることを特徴とするポンプ装置。
【発明の効果】
【０００９】
本発明の一実施形態によれば、所望の流路断面積及び流路長さを確保しつつ、小型化することが可能となる。
【図面の簡単な説明】
【００１０】
【図１】本発明の一実施形態にかかるポンプ装置の構成を示す側面図。
【図２】同ケーシングの構成を示す斜視図。
【図３】同ケーシングの構成を示す側面図。
【図４】同ケーシングの構成を示す断面図。
【図５】同ケーシングの構成を示す下面図。
【図６】同ケーシングの構成を示す断面図。
【図７】同ケーシングの吸込流路の断面形状の変化を示す説明図。
【図８】同ケーシングの旋回流路の断面形状の変化を示す説明図。
【図９】同ケーシングの延出流路の断面形状の変化を示す説明図。
【発明を実施するための形態】
【００１１】
以下、本発明の一実施形態にかかるポンプ装置１０について、図１乃至図８を参照して説明する。図１は、ポンプ装置１０の側面図である。図２はケーシング１７の構成を示す斜視図であり、図３はケーシング１７の側面図である。図４は図１のIII―III線に沿って切断したポンプケーシング１１の断面図であり、図５はポンプケーシング１１の下面図であり、図６は図４のＶ−Ｖ―Ｖ線に沿って切断したポンプケーシング１１の断面図である。図７は第１吐出流路３３、図８は第２の吐出流路３４の流路断面形状の変化をそれぞれ示す説明図である。図９は吸込流路３５の断面形状の変化を示す説明図である。
【００１２】
図１に示すように、ポンプ装置１０は、ケーシング１７及びケーシングカバー１８からなるポンプケーシング１１と、ケーシング１７内に配置されるインペラ１２と、インペラ１２を回転駆動するモータ１３と、モータ１３の回転軸とケーシングカバー１８間を密封するメカニカルシール１４と、ポンプケーシング１１を支持する架台１６と、を備える。
【００１３】
図１に示すように、ポンプ装置１０は、いわゆるプリローテーション形状の渦巻きポンプ装置である。ポンプ装置１０は例えば架台１６に設置され、インペラ１２の回転軸心Ｃ１が上下方向に沿う姿勢で設置スペースに縦置きされる。
【００１４】
ポンプケーシング１１は、例えば金属材料で構成され、上部開口１７ａを有するケーシング１７と、ケーシング１７の上部開口１７ａを覆うケーシングカバー１８と、を備える。
【００１５】
図１乃至図６に示すケーシング１７は、所定のラインＬ１上に配される吸込口２４ａ及び吐出口２３ａを有する。ケーシング１７は、インペラ１２が収容される円柱状の空間を有する収容部２０ａ、及び収容部２０ａの周りに形成されるボリュート状の第１の吐出流路３３を形成するメイン部２０と、吸込口２４ａからメイン部２０の下部中央に形成された流入開口２１ａに至る吸込部２４と、第１の吐出流路３３から吐出口２３ａに至る第２の吐出流路３４を形成する吐出部２３と、を備える。
【００１６】
吸込口２４ａ及び吐出口２３ａは、メイン部２０と同等の高さ位置であって、回転軸心Ｃ１に直交する所定水平軸から側方に所定距離オフセットした位置を通る水平なラインＬ１上に配置されている。したがって、吸込口２４ａにおける流路方向、及び吐出口２３ａにおける流路方向、換言すると吸込２４ａ及び吐出口２３ａの開口面にそれぞれ直交する軸は、いずれも、回転軸心Ｃ１に直交する同一のラインＬ１に沿う横方向となる。
【００１７】
メイン部２０は、収容部２０ａの下側を覆う底部を構成するとともに中央部に流入開口２１ａが形成された底壁２１と、収容部２０ａの外周にボリュート状の第１吐出流路３３を形成して収容部２０ａの周りを取り囲む周壁２２と、を備える。
【００１８】
収容部２０ａに配されるインペラ１２は、少なくとも１枚の円板状のシュラウドと、シュラウドに形成された少なくとも１枚の羽根部材と、を備える。インペラ１２は、その下面の中央部に円形のインペラ流入口１２ａを有するとともに、外周部に流体を排出するインペラ流出口１２ｂを有して構成される。
【００１９】
インペラ１２は回転軸に接続され、モータ１３の駆動により回転することで、流入口から流体を吸込み、外周の流出口から外方かつ周方向に向けて、流体を排出する。インペラ１２は回転により流体を一次側から二次側へ送る。
【００２０】
底壁２１は、円板形状であって、インペラ１２の下部のインペラ流入口１２ａに連通する流入開口２１ａをその中央部に有している。底壁２１の外周縁部は周壁２２に連続している。流入開口２１ａにはインペラ１２の下部に形成される流入口１２ａが対向配置され、吸込部２４から流入開口２１ａを通ってインペラ１２内に流体が流れ込む構成である。流入開口２１ａにおける流路方向は、回転軸心Ｃ１に沿う上向き方向となり、吸込口２４ａにおける流路方向とは直交する。
【００２１】
周壁２２は、収容部の外周にボリュート状に形成された第１の吐出流路３３を形成している。周壁２２は、底壁２１の外周縁から外方に膨らみ断面形状が略Ｃ字形状を成すように湾曲する壁状に構成される。周壁２２は、第１の吐出流路３３を構成する湾曲内周面と、大部分が湾曲内周面に沿う湾曲形状に形成された湾曲外周面と、を有し、その一部分は下部に配される吸込部２４に一体に構成されている。
【００２２】
周壁２２の上端縁は上部開口１７ａを構成している。上部開口１７ａにはフランジ状の取付部１７ｂが形成される。上部開口１７ａはメカニカルシール１４を支持するケーシングカバー１８によって覆われる。
【００２３】
周壁２２は、上部開口１７ａを形成する円形の上端縁部から下方に突出して収容部２０ａ側と第１の吐出流路３３側とを隔てる突出壁２２ｂを備える。突出壁２２ｂの先端部と、突出壁２２ｂに対向する底壁２１の外周縁との間に、流出開口２２ｃとなる間隙が形成される。流出開口２２ｃにインペラ１２の流出口１２ｂが対向配置され、流出開口２２ｃを通ってインペラ１２から、流体が第１の吐出流路３３に、時計回り方向に流れる構成である。
【００２４】
また、周壁２２の内面において、インペラ流出口１２ｂの近傍には、内方に突出形成され、第１の吐出流路３３の始点と終点とで流路を区画する隔壁部２２ｄが設けられている。この隔壁部２２ｄの先端部の一方側を第１の吐出流路３３の始点として、図４における時計回り方向に第１の吐出流路３３がボリュート状に形成される。すなわち第１の吐出流路３３は、流出開口２２ｃから、インペラ１２内の流路の回転方向と同じ図４における時計回りに、湾曲して延びている。
【００２５】
そして、第１の吐出流路３３の始点から収容部２０ａの外周をボリュート状に一回りし、隔壁部２２ｄの先端を挟んで始点である位置Ｐ６の他方側に隣接する位置Ｐ１４が、第１の吐出流路３３の終点であって、第２の吐出流路３４の始点となる。
【００２６】
周壁２２において、第１の吐出流路３３の終点位置から、接線方向に管状の吐出部２３が形成される。
【００２７】
図６及び図７に示すように、ボリュートＡの中心線Ｃ３は、流路中心Ｃ５よりも、上方に位置している。
【００２８】
また、第１の吐出流路３３の流路中心Ｃ３は、下流側に進むにしたがって上方に位置するように変位している。すなわち、流路中心Ｃ３の位置は、第１の吐出流路３３の終点位置において、最も上位であり、かつ上部開口１７ａの取付部１７ｂに干渉しない位置に配置されている。
【００２９】
図７は、第１の吐出流路３３の始点である第６位置Ｐから回転軸Ｃ１を中心に所定角度ずつ下流側に変位した位置Ｐ７，位置Ｐ８，位置Ｐ９，位置Ｐ１０，位置Ｐ１１，位置Ｐ１２，を経て位置Ｐ１３に至るまで、各位置における流路方向に直交する断面である流路断面のボリュート形状を示す説明図である。
【００３０】
図７に示すように、位置Ｐ７における形状から、下流側に進むにつれて、次第に円形状となるように高さが増加し、円形状に近づくように変化している。なお、始点近傍である第７位置Ｐ７や、第８位置Ｐ８では、第１の吐出流路３３の流路断面形状は、流出開口２２ｃを基準として、上方に高さが拡大して大きく膨らむ形状であって、下方への膨らみよりも上方への膨らみが大きくなっている。そして、第９位置Ｐ９付近から、次第に下方へも拡大する形状となっている。
【００３１】
また、第１の吐出流路３３の流路中心Ｃ３の位置は、第１の吐出流路３３の始点から、次第に上昇するように変位し、第１の吐出流路３３の終点位置において最も上位となっている。
【００３２】
吐出部２３は、周壁２２の一部から接線方向に延出され、吐出口２３ａに至る第２の吐出流路３４を構成する管状部材である。吐出部２３の先端には吐出口２３ａが形成されている。吐出部２３は、第１の吐出流路３３の終点位置から接線方向に延出し、次第にラインＬ１に沿うように向きを変えて吐出口２３ａに至る第２の吐出流路３４を形成している。
【００３３】
すなわち、突出壁２２ｂ及び隔壁部２２ｄを有する周壁２２と、これに連続する吐出部２３と、によってインペラ流出口１２ｂからボリュート状に延びる第１の吐出流路３３と、第１の吐出流路３３の下流側に続き吐出口２３ａに至る第２の吐出流路３４と、が連続して形成される。
【００３４】
吐出部２３の外面は、下端位置が次第に下方に変位しながら高さ寸法が増加するとともに、幅寸法が増加している。第２の吐出流路３４の流路中心Ｃ４の位置は、第１の吐出流路３３の終点位置から、吐出口２３ａに向けて、下流側が次第にラインＬ１に向かって下方となるように変位している。
【００３５】
図８は、吐出部２３によって形成される第２の吐出流路３４の流路方向に直交する断面である流路断面の形状の変化を示す説明図である。図８において、第１の吐出流路３３の終点位置であって第２の吐出流路３４の始点となる位置Ｐ１４から、所定距離ずつ下流側に変位した位置Ｐ１５，位置Ｐ１６，位置Ｐ１７を経て、吐出口２３ａである位置Ｐ１８までに至るまでの、第２の吐出流路３４の流路断面形状を示している。
【００３６】
図８に示すように、第２の吐出流路３４の流路断面形状は円形状である。また第１吐出流路及び第２の吐出流路において、流路断面積は、インペラ流出口１２ｂから、第１の吐出流路３３、第２の吐出流路３４を通って吐出口２３ａに至るまで、下流に進むに従い漸次増加しており、高さ寸法及び幅寸法が漸次拡大している。
【００３７】
吸込部２４は、メイン部２０の側方に配される吸込口２４ａをその端部に有し、吸込口２４ａからメイン部２０の下端に形成された流入開口２１ａに至る吸込流路３５を形成する管状部材である。
【００３８】
吸込部２４の端部に開口する吸込口２４ａにはフランジ状の取付部が形成され、一次側の配管と接続可能に構成されている。
【００３９】
吸込部２４は、吸込口２４ａから一端下方に向けて湾曲し、中途部位から再び上方に向かって湾曲し、周壁２２の下側を通って流入開口２１ａに接続される。したがって、吸込流路３５は、流路方向が、横方向から下斜方向となり、さらに上斜方向となり、上方に向くように、変化する。
【００４０】
また、吸込部２４は及び吸込流路３５は、平面視においても、インペラ１２による流体の流れ方向と同じ図３における時計回りの流れを得るように湾曲している。吸込流路３５は、吸込口２４ａと流入開口２１ａの中心を結ぶ径方向の仮想直線よりもラインＬ１側に膨らむ湾曲形状の流路中心Ｃ２を有している。
【００４１】
すなわち、吸込部２４は、縦方向に関しては中央部が下に凸となる湾曲形状を成す一方で、横方向においても時計回り方向の湾曲形状を成している。
【００４２】
吸込部２４は少なくとも一部が周壁２２と一体に形成されている。すなわち、吸込部２４の上側の壁と周壁２２の下側の壁とが一体に形成されている。
【００４３】
吸込流路３５と第１の吐出流路３３との間を隔てる壁状部２２ｅは、流路方向が変化する流入開口１２ａの近傍に部位において、流路抵抗を減らすために一部肉厚に構成されている。
【００４４】
図９は、吸込流路３５の断面形状の変化を示す説明図である。図８に示すように、第１位置Ｐ１である吸込口２４ａの形状は、円形状に構成されている。
【００４５】
一方、吸込部２４によって形成される吸込流路３５の流路方向に直交する流路断面は、第１位置Ｐ１である吸込口２４ａよりも下流側の領域においては異形に構成されている。
【００４６】
吸込部２４は、周壁２２と重ねて一体に形成されている部位において、第１の吐出流路３３の湾曲の形状にならって一部を拡大することで断面積を確保することを可能にしている。吸込部２４は、その外方部位が上方すなわち第１の吐出流路３３側に突出している。吸込部２４の外面は、そのボリュートの外側の部位が、外面が湾曲して上方に退避する椀形状に構成された周壁２２の外周側に周り込むように、上方に突出している。
【００４７】
具体的には、第１位置Ｐ１よりも下流側の第２位置Ｐ２において、ボリュートの外方部位が内方部位よりも上方に突出して形成された突出部２４ｂを有し、吸込流路３５は外方の一部が上方に膨らんでいる。
【００４８】
さらに、第３位置Ｐ３において、吸込部２４の流路断面形状は、ボリュートの外方部位が内方部位よりも上方に突出して形成された突出部２４ｂを有している。したがって、第３位置Ｐ３において、吸込流路３５の上側形状が第１の吐出流路３３の下側の形状に倣うように外方部が一部膨らむ拡張部３５ａを有している。第３位置Ｐ３における吸込流路３５の流路断面は、第２位置Ｐ２よりも幅寸法が拡大している一方で、第２位置Ｐ２における断面形状よりも、内方部位の高さ寸法が小さく構成されている。
【００４９】
第３位置Ｐ３よりも下流側の第４位置Ｐ４において、吸込部２４の流路断面は、第３位置Ｐ３よりも外方部位が上方に膨らんでおり、拡張部３５ａが大きくなる。さらに下流側の第５位置Ｐ５においては、吸込部２４の流路断面は、第４位置Ｐ４よりも幅寸法が大きくなる一方で拡張部３５ａの高さ寸法は小さくなる。
【００５０】
吸込部２４において、吸込口２４ａである第１位置Ｐ１からインペラ流入口１２ａに近い所定の第５位置Ｐ５に至るまで、流路断面の面積は、下流側に進むにつれて漸次増加している。例えば図９に示すように、第１位置Ｐ１、第２位置Ｐ２，第３位置Ｐ３，第４位置Ｐ４、第５位置Ｐ５、の順番で漸次大きくなっている。
【００５１】
また、第５位置Ｐ５よりも下流側であって、吸込部２４の下流端となる流入開口２１ａにあっては、回転軸に直交する流路断面形状が円形状に形成されている。
【００５２】
以上のように構成されたケーシング１７によって、収容部２０ａにインペラ１２がセットされた状態で、吸込口２４ａから、収容部２０ａの下端に配されるインペラ流入口１２ａに至り、インペラ流出口１２ｂから収容部２０ａの外方の吐出口２３ａに至る、所定の流路を形成する。
【００５３】
ケーシングカバー１８は、回転軸の外周にメカニカルシール１４を支持する支持部を備えている。ケーシングカバー１８は、モータ１３側と、ケーシング１７の上部開口１７ａとに固定され、内部にメカニカルシール１４を支持することで、モータ１３と回転軸と、ケーシング１７の上部開口１７ａとの間を密封可能に構成されている。
【００５４】
架台１６は、所定高さに配される水平の設置面１６ａ（支持面）を有している。設置面１６ａの中央部には下方に凹む凹部または開口を形成する孔部１６ｂが形成されている。架台１６は、凹部または孔部１６ｂ内に、下方に湾曲して突出する吸込部２４の一部を配置した状態で、設置面１６ａによって埋設部位の周囲を支持することにより、ポンプ装置１０を縦置きの状態で支持する。
【００５５】
ポンプ装置１０において、モータ１３に接続された制御盤の制御により、モータ１３の回転子が回転すると、回転軸が所定の回転速度で回転する。これに伴い、回転軸に取付けられたインペラ１２が、所定の回転速度で回転する。
【００５６】
インペラ１２の回転によって、ポンプ装置１０は、ケーシング１７の吸込口２４ａから、流体を吸い込む。流体は、吸込口２４ａから、吸込流路３５を通ってインペラ流入口１２ａに流入し、増圧されて、インペラ流出口１２ｂから流出される。さらにインペラ流出口１２ｂから排出された流体は第１の吐出流路３３及び第２の吐出流路３４を通って吐出口２３ａに案内され、二次側に送られる。
【００５７】
このとき、吸込流路３５は所定位置に至るまで次第に流路断面積が増大し、第１の吐出流路３３の下側を通って湾曲してインペラ流入口１２ａに案内されることで、所望の流速及び流量を確保できる。一方で、第１の吐出流路３３及び第２の吐出流路３４は、次第に面積を拡大しながら湾曲して吐出口２３ａに案内されることで、所望の流速及び流量を確保できる。
【００５８】
本実施形態にかかるポンプ装置１０によれば、以下の様な効果が得られる。すなわち、本実施形態においては吸込部の流路断面を異形として周囲のスペースを利用することにより、周壁と吸込部との干渉を避け、小型化にしながらも、流路面積を確保することが可能である。
【００５９】
すなわち、吸込流路３５と第１の吐出流路３３とが高さ方向に隣接して吸込部２４と周壁２２とが重ねて配置される構造において、吸込流路３５の流路断面形状を、外方部位が膨らむ異形とし、周壁２２の外形状にならって流路を拡大させることによって、流路周りのスペースを有効に活用して、所望の流路断面積を確保することができる。さらに、吸込流路３５において、上方に拡大される拡張部３５ａにおいては、吸込口２３ａから流入開口２２ａまでの流路における上下方向への流路の位置変化が少ないことから、流路抵抗を低く抑えられる。
【００６０】
また、吸込口２４ａ及び吐出口２３ａが配されるラインＬ１からオフセットした位置にインペラの回転軸心Ｃ１を配置する構成とし、吸込流路３５が上下方向及び水平面内において湾曲する構成としたことで、同じ面間距離にあって流路長さを長くとることができる。このため、例えば吐出口２３ａと吸込口２４ａの位置に制約がある既存の設備に適用することができるため、汎用性が高い。さらに、面間距離を小さく抑えながらも実質的な流路長さを長くとることができることから、吸込口２４ａとインペラ流入口１２ａの方向が異なり流路方向を変化させる場合にも、流路抵抗を低く抑えることが可能となる。
【００６１】
また、第１の吐出流路３３において、周壁２２の下方への膨らみを抑制して、吸込部２４との干渉を回避することで、高さ方向の寸法を抑えながら、必要な流路面積を確保することができる。
【００６２】
上記実施形態においては、第１の吐出流路３３の流路中心Ｃ３が流出開口２２ｃの中心よりも上に位置し、第１の吐出流路３３は下流側が上方に変位する様に構成したことで、同じ面間距離であっても流路長さを長くすることが可能となるのに加えて、下側の吸込部２４との干渉を避けながら、漸次拡大する所望の流路断面積を確保することができる。
【００６３】
さらに、吸込部２４の一部を設置面１６ａよりも下方に配置できる凹部または孔部１６ｂを備える架台１６を用いることで、ポンプ装置１０の設置高さを抑えることが可能となる。
【００６４】
なお、本発明は上記各実施形態そのままに限定されるものではなく、実施段階ではその要旨を逸脱しない範囲で構成要素を変形して具体化できる。
【００６５】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。以下に、本願出願の当初の特許請求の範囲に記載された発明を付記する。  
（１）
インペラを収容する収容部、及び前記収容部の外周部に形成されるボリュート状の第１の吐出流路を形成するメイン部と、
前記収容部の外方であって前記インペラの回転軸心の位置から側方に変位した位置を通り前記回転軸心に直交するライン上に配置される吐出口をその一端に有し、前記第１の吐出流路の二次側に連続し前記吐出口に至る第２の吐出流路を形成する、管状の吐出部と、  前記収容部の外方であって前記ライン上において前記吐出口と反対向きに開口して配される吸込口をその一端に有し、前記吸込口から前記第１の吐出流路の前記回転軸心方向の一端側を通って前記メイン部の一端側に接続され、断面形状が異形に構成された吸込流路を構成する管状の吸込部と、
を備える、ことを特徴とする、ポンプケーシング。
（２）
前記メイン部は、円柱状の空間を有する収容部の底部を構成するとともにその中央にインペラの流入口に対向配置され前記吸込部に連通する流入開口を有する底壁と、前記収容部の周りを前記第１の吐出流路を介して囲むとともに前記吐出部に連続する周壁と、を備え、
前記吸込流路の断面形状は、前記ボリュートの外方に位置する部位が前記第１の吐出流路に向かって膨らむ拡張部を有する、ことを特徴とする、（１）記載のポンプケーシング。
（３）
前記吸込流路は、前記吸込口における流路方向が前記回転軸心に交差する横向きであるとともに、前記流入開口における流路方向が前記回転軸心の方向であって、
前記吸込流路は、前記吸込口から、側方及び下方に湾曲して、前記流入開口に至ることを特徴とする（２）記載のポンプケーシング。
（４）
前記第１の吐出流路は、少なくともその始点位置付近において流路方向に直交する断面形状が異形であって、ボリュートの始点位置から終点位置に進むにしたがって、その流路中心位置が、前記回転軸心方向の他端側に変位することを特徴とする（１）記載のポンプケーシング。
（５）
前記吸込流路の流路方向に直交する流路断面積は、前記吸込口から、前記インペラの流入口の近傍の所定位置に至るまで漸次増加し、
前記第１の吐出流路及び前記第２の吐出流路の流路方向に直交する流路断面積は、下流側が漸次増加するように、変化することを特徴とする（１）記載のポンプケーシング。
（６）
（１）乃至（５）のいずれか記載のポンプケーシングと、
前記回転軸心方向の一端側にインペラ流入口を備え、外周部にインペラ流出口を備え、前記収容部に配される、インペラと、を備えることを特徴とするポンプ装置。
（７）
前記ポンプケーシングの下方に配置され、前記ポンプ装置を前記回転軸心が上下方向に沿う縦向きの姿勢で支持するとともに、前記下方に突出する前記吸込部の少なくとも一部分が配置される凹部または孔部を有する支持面を有する、架台を備えることを特徴とする、（６）記載のポンプ装置。
【符号の説明】
【００６６】
１０…ポンプ装置、１１…ポンプケーシング、１２…インペラ、１２ａ…インペラ流入口、１２ｂ…インペラ流出口、１３…モータ、１４…メカニカルシール、１６…架台、１６ａ…設置面、１６ｂ…凹部、１７…ケーシング、１７ａ…上部開口、１７ｂ…取付部、１８…ケーシングカバー、２０…メイン部、２０ａ…収容部、２１…底壁
、２１ａ…流入開口、２２…周壁、２２ｂ…突出壁、２２ｃ…流出開口、２２ｄ…隔壁部、２２ｅ…壁状部、２３…吐出部、２３ａ…吐出口、２４…吸込部、２４ａ…吸込口、２４ａ…突出部、３３…第１の吐出流路、３４…第２の吐出流路、３５…吸込流路、３５ａ…拡張部。
【図１】
0006637773.tif 000002
【図２】
0006637773.tif 000003
【図３】
0006637773.tif 000004
【図４】
0006637773.tif 000005
【図５】
0006637773.tif 000006
【図６】
0006637773.tif 000007
【図７】
0006637773.tif 000008
【図８】
0006637773.tif 000009
【図９】
0006637773.tif 000010